(57)【要約】【課題】取付位置調整装置及び方法に関し、ケーシングに位置調整用の棒状の治具を差し込んで位置調整を行なうために設ける調整用穴を極力小さくその加工も容易にできるように形成しながら、ステータの位置の微調整を容易に行なうことができるようにする。【解決手段】ステータ１２の外周部分に、複数個の切欠部２１ａ〜２１ｃと、ケーシング１１の切欠部２１ａ〜２１ｃと対応する位置に設けられた調整用穴２２と、調整用穴２２に挿通される棒状部３２と、切欠部に係合し、互いに隣接する第１及び第２のピン３３ａ，３３ｂを棒状部３２の先端に有する調整治具３０と、を備え、第１のピン３３ａを第１の切欠部２１ａに係合させた状態で調整治具３０を回転させる、あるいは第２のピン３３ｂを第２の切欠部２１ｂに係合させた状態で調整治具３０を回転させることによってケーシング１１に対するステータ１２の回転方向位置を調整する。【選択図】        図１
2010127838.tif 000002
【特許請求の範囲】
【請求項１】
ケーシング内に備えられた調整対象部材の回転方向への取付位置を調整する装置であって、
上記調整対象部材の外周部分に設けられた切欠部と、
上記ケーシングの上記切欠部と対応する位置に設けられた調整用穴と、
上記調整用穴に挿通される棒状部及び上記棒状部の先端に設けられた上記切欠部に係合するピンを有する調整治具と、を備え、
上記ピンを上記切欠部に係合させた状態で上記調整治具を回転させることによって上記ケーシングに対する上記調整対象部材の回転方向位置を調整可能である
ことを特徴とする、取付位置調整装置。
【請求項２】
上記切欠部は、互いに隣接する第１及び第２の切欠部を含んで複数個設けられ、
上記調整治具は、上記ピンとして、互いに隣接する第１及び第２のピンを含む複数のピンを有し、
上記第１のピンを上記第１の切欠部に係合させた状態で上記調整治具を回転させると、上記第１のピンと上記第１の切欠部との係合が解除すると共に、上記第２のピンが上記第２の切欠部に係合するように設定され、上記調整治具を回転させることによって上記ケーシングに対する上記調整対象部材の回転方向位置を調整可能である
ことを特徴とする、請求項１記載の取付位置調整装置。
【請求項３】
上記棒状部の先端には、上記棒状部の軸心に対して等距離偏心し、且つ互いに位相角を１８０°だけずらせた位置に、上記第１のピン及び上記第２のピンのみが突設されている
ことを特徴とする、請求項２記載の取付位置調整装置。
【請求項４】
上記切欠部は、上記調整対象部材の外周部分に、等間隔に３個設けられている
ことを特徴とする、請求項２又は３記載の取付位置調整装置。
【請求項５】
長穴を有し、該長穴を介してボルトにてケーシングに固定されるステータと、上記ケーシングに回転可能に支持された回転軸に固定され上記ステータ内を回転可能なロータと、をそなえ、前記回転軸の回転角度を検出可能なレゾルバにおける上記ステータが、上記調整対象部材であって、
上記複数の切欠部は、上記ステータの外周部分に設けられ、
上記調整用穴は、上記ケーシングの上記切欠部と対応する位置に設けられたレゾルバ調整用穴であって、
上記ケーシングに対する上記ステータの回転方向における相対位置を調整する
ことを特徴とする、請求項１〜４のいずれか１項記載の取付位置調整装置。
【請求項６】
上記調整用穴及び上記棒状部は何れも断面円形であって、上記調整用穴への上記棒状部の挿通を妨げずに且つ上記調整治具を回転させる際に上記調整用穴が上記棒状部を軸受状に支持するように、上記調整用穴の内周面と上記棒状部の外周面とのクリアランスが設定されている
ことを特徴とする、請求項１〜５のいずれか１項に記載の取付位置調整装置。
【請求項７】
請求項２記載の取付位置調整装置を用いて、上記調整治具の上記棒状部を上記調整用穴に挿通させて上記調整対象部材の回転方向への取付位置を調整する方法であって、
上記第１のピンを上記第１の切欠部に係合させた状態で上記調整治具を回転させることにより、上記調整対象部材を回転させて上記調整対象部材の回転方向位置を調整する第１ステップと、第１ステップでは上記調整対象部材を所定の回転方向位置に調整できない場合に実施し、上記第２のピンを上記第２の切欠部に係合させた状態で上記調整治具を回転させることにより、上記調整対象部材を回転させて上記調整対象部材の回転方向位置を調整する第２ステップと、を備えている
ことを特徴とする、取付位置調整方法。
【発明の詳細な説明】
【技術分野】
【０００１】
本発明は、レゾルバのステータの角度調整に用いて好適の、取付位置調整装置及び取付位置調整方法に関する。
【背景技術】
【０００２】
回転部材の回転方向の角度を検出するレゾルバは、固定されたステータ（固定子）と、回転部材に固定されて回転可能なロータ（回転子）とをそなえ、ステータの２相コイルに交流電流を流し、ロータの回転に伴ってロータの２相コイルから出力される電圧の位相の変化から回転部材の角度を検出する。この際、ステータはロータ（即ち、回転部材）に対して所定の角度状態になるように微調整した上で固定される。
【０００３】
通常、レゾルバのステータの角度調整は、ステータをケーシング内に配置してからケーシングに回転調整可能に仮止めしておいて、ケーシングに設けられた穴部を通じてケーシングの外から内部に棒状の治具を挿し込んで、この治具の先端によってステータを回転させることで所要の角度状態に微調整するようにしている（特許文献１参照）。また、角度調整を終えたらステータを固定する。
【０００４】
例えば、特許文献１に記載の技術では、図９（ａ），（ｂ）に示すように、レゾルバのステータ１２は、一端をステータ１２の外周に結合された筒状部１３ａとこの筒状部１３ａの他端に外周方向に突出形成されたフランジ部１３ｂとを有するホルダ１３を介してケーシング１１に固定されている。ステータ１２のホルダ１３のフランジ部１３ｂには、周方向に延びたボルト１５及びナット１６を締結するための締結用長穴１４が複数（ここでは、４個）形成されている。
【０００５】
一方、ケーシング１１には、ボルト１５が貫装されるボルト穴１７が、ステータ１２の長穴と対応するように複数（ここでは、４個）形成されている。
したがって、ステータ１２のホルダ１３はケーシング１１に対して、各長穴１４の長さに応じた量だけ、周方向（回転方向）に位置調整可能になっており、位置調整時にはボルト１５及びナット１６の締結を緩め、位置調整完了後にはボルト１５及びナット１６を締結してステータ１２のホルダ１３をケーシング１１に固定できるようになっている。
【０００６】
このホルダ１３のケーシング１１に対する回転方向位置を調整するために、ケーシング１１に周方向に延びた調整用長穴１８が形成され、ホルダ１３のフランジ部１３ｂには調整用丸穴１９が形成されている。ケーシング１１に設けられた調整用長穴１８から、棒状の治具（図示略）をケーシング１１内に挿し込んで、棒状の治具の先端をホルダ１３の調整用丸穴１９内に引っ掛けてステータ１２を回転させることができる。
【０００７】
また、図１０に示すように、ホルダ１３のフランジ部１３ｂの調整用丸穴１９に替えて、フランジ部１３ｂの外周に切欠部２０を設けて、ケーシング１１内に挿し込んだ棒状の治具の先端をこの切欠部２０に引っ掛けてステータ１２を回転させる方法も用いられている。
【特許文献１】特開２００６−３８８０８号公報
【発明の開示】
【発明が解決しようとする課題】
【０００８】
ところで、ステータ１２を収納するケーシング１１は、内部の回転部材等を収納して潤滑油等を内蔵するなどにより、シール性を要求される場合も多く、可能な限り治具を挿入する穴部は小さくしたい。
しかしながら、上述のように、ケーシング１１内に挿し込んだ棒状の治具の先端を、ホルダ１３の調整用丸穴１９或いは切欠部２０に引っ掛けてステータ１２を回転させるには、ケーシング１１側の調整用穴は、図９に示すように、ケーシング１１に周方向に延びた長穴１８とするか、或いは、棒状の治具を周方向に移動させたり、棒状の治具の先端が周方向に移動するようにテコの原理で棒状の治具を揺動させたりできるように、棒状の治具の外径よりも十分な内径を持った丸穴とすることが必要であり、治具を挿入する穴部を小さくすることができないのが現状である。
【０００９】
また、ケーシング１１内に挿し込んだ棒状の治具の先端を、ホルダ１の調整用丸穴１９或いは切欠部２０に引っ掛けてステータ１２を回転させる手法では、ステータ２の位置の微調整が難しく、位置調整の作業に時間がかかってしまうという課題もある。
また、図９に示すように、ケーシング１１に周方向に延びた調整用長穴１８を加工することは、通常、ケーシング１１に厚みがあることから、容易ではないという課題もある。
【００１０】
本発明はこのような課題に鑑み案出されたもので、ステータを収納するケーシングに、位置調整用の棒状の治具を差し込んで位置調整を行なうために設ける調整用穴を極力小さく形成してその加工も容易にできるようにしながら、ステータの位置の微調整を容易に行なうことができるようにした、取付位置調整装置及び方法を提供することを目的とする。
【課題を解決するための手段】
【００１１】
上記目標を達成するため、本発明の取付位置調整装置は、ケーシング内に備えられた調整対象部材の回転方向への取付位置を調整する装置であって、上記調整対象部材の外周部分に設けられた切欠部と、上記ケーシングの上記切欠部と対応する位置に設けられた調整用穴と、上記調整用穴に挿通される棒状部及び上記棒状部の先端に設けられた上記切欠部に係合するピンを有する調整治具と、を備え、上記ピンを上記切欠部に係合させた状態で上記調整治具を回転させることによって上記ケーシングに対する上記調整対象部材の回転方向位置を調整可能であることを特徴としている（請求項１）。
【００１２】
上記切欠部は、互いに隣接する第１及び第２の切欠部を含んで複数個設けられ、上記調整治具は、上記ピンとして、互いに隣接する第１及び第２のピンを含む複数のピンを有し、上記第１のピンを上記第１の切欠部に係合させた状態で上記調整治具を回転させると、上記第１のピンと上記第１の切欠部との係合が解除すると共に、上記第２のピンが上記第２の切欠部に係合するように設定され、上記調整治具を回転させることによって上記ケーシングに対する上記調整対象部材の回転方向位置を調整可能であることが好ましい（請求項２）。
【００１３】
この場合、上記棒状部の先端には、上記棒状部の軸心に対して等距離偏心し、且つ互いに位相角を１８０°だけずらせた位置に、上記第１のピン及び上記第２のピンのみが突設されていることが好ましい（請求項３）。
また、上記切欠部は、上記調整対象部材の外周部分に、等間隔に３個設けられていることが好ましい（請求項４）。
【００１４】
長穴を有し、該長穴を介してボルトにてケーシングに固定されるステータと、上記ケーシングに回転可能に支持された回転軸に固定され上記ステータ内を回転可能なロータと、をそなえ、前記回転軸の回転角度を検出可能なレゾルバにおける上記ステータが、上記調整対象部材であって、上記複数の切欠部は、上記ステータの外周部分に設けられ、上記調整用穴は、上記ケーシングの上記切欠部と対応する位置に設けられたレゾルバ調整用穴であって、上記ケーシングに対する上記ステータの回転方向における相対位置を調整することが好ましい（請求項５）。
【００１５】
さらに、上記調整用穴及び上記棒状部は何れも断面円形であって、上記調整用穴への上記棒状部の挿通を妨げずに且つ上記調整治具を回転させる際に上記調整用穴が上記棒状部を軸受状に支持するように、上記調整用穴の内周面と上記棒状部の外周面とのクリアランスが設定されていることが好ましい（請求項６）。
本発明の取付位置調整方法は、請求項２記載の取付位置調整装置を用いて、上記調整治具の上記棒状部を上記調整用穴に挿通させて上記調整対象部材の回転方向への取付位置を調整する方法であって、上記第１のピンを上記第１の切欠部に係合させた状態で上記調整治具を回転させることにより、上記調整対象部材を回転させて上記調整対象部材の回転方向位置を調整する第１ステップと、第１ステップでは上記調整対象部材を所定の回転方向位置に調整できない場合に実施し、上記第２のピンを上記第２の切欠部に係合させた状態で上記調整治具を回転させることにより、上記調整対象部材を回転させて上記調整対象部材の回転方向位置を調整する第２ステップと、を備えていることを特徴としている（請求項７）。
【発明の効果】
【００１６】
本発明の取付位置調整装置（請求項１）によれば、調整治具の棒状部を調整用穴に挿通させて、ピンを切欠部に係合させた状態で調整治具を回転させることにより、調整対象部材を回転させて調整対象部材の回転方向位置を調整することができる。
また、本発明の取付位置調整装置（請求項２）及び方法（請求項７）によれば、調整治具の棒状部を調整用穴に挿通させて、第１のピンを第１の切欠部に係合させた状態で調整治具を回転させることにより、調整対象部材を回転させて調整対象部材の回転方向位置を調整することができ、第１のピンを第１の切欠部に係合させた状態では上調整対象部材を所定の回転方向位置に調整できない場合、第２のピンを第２の切欠部に係合させた状態で調整治具を回転させることにより、調整対象部材を回転させて調整対象部材の回転方向位置を調整することができる。
【００１７】
このように、調整治具を回転させることにより、調整対象部材の回転方向位置を調整すると、調整対象部材の位置を微調整することが容易になり、しかも、ケーシングに形成する調整用穴は、調整治具の棒状部が挿通でき且つ棒状部の回転を案内するものなので、円筒状で棒状部の挿通を妨げない範囲で小径であることが好ましいため、調整用穴を小さくでき、その加工も容易になる。
【００１８】
特に、長穴を介してボルトにてケーシングに固定されるレゾルバのステータについて、ケーシングに対する回転方向位置を調整する際に、調整治具を回転させることにより、かかる回転方向位置の調整を行なうようにすると、微調整の必要なレゾルバのステータを正確に位置調整することができ、しかも、レゾルバを内蔵するケーシングには、シール性を要求される場合が多いが、調整用穴を小さくできるのでシール性も確保しやすい（請求項５）。
【００１９】
さらに、調整用穴及び棒状部は何れも断面円形とし、調整用穴の内周面と棒状部の外周面とのクリアランスを、調整用穴への棒状部の挿通を妨げずに且つ調整治具を回転させる際に調整用穴が棒状部を軸受状に支持するように設定すれば、調整治具を円滑に操作することができる（請求項６）。
【発明を実施するための最良の形態】
【００２０】
以下、図面により、本発明の実施の形態について説明する。
まず、本発明の一実施形態について図面に基づいて説明する。
図１〜図８は本発明の一実施形態に係る取付位置調整装置及び方法を説明する図であり、これらの図に基づいて説明する。
【００２１】
（調整対象部材）
まず、本実施形態にかかる調整対象部材を説明する。本実施形態では、モータ（電動機）の回転状態を検出するレゾルバのステータを調整対象部材としている。また、ここでは、モータはエンジン（内燃機関）とモータとの両者を駆動源として備えたハイブリッド車両における駆動用電動機として装備されるものとする。
【００２２】
本実施形態にかかるハイブリッド車両の駆動系は、図２に示すように、エンジン１と、このエンジン１の出力軸１ａと油圧クラッチ２Ａを介して回転軸３ｃを接続されたモータ３と、モータ３の回転軸３ｃの回転、及び油圧クラッチ２Ｂ及び回転軸２ａを介して入力されるエンジン１の出力軸１ａの回転を変速する変速機４と、変速機４の出力軸６の回転駆動力を、デファレンシャル７を介して分配されて回転する駆動輪８ａ，８ｂとをそなえている。
【００２３】
モータ３は、ケーシング１１内に装備され、ロータ３ａとステータ３ｂとを備え、図１に示すようなステータ１２を備えたレゾルバが付設され、このレゾルバによって、モータ３の回転状態が検出されるようになっている。
また、ここでは、変速機４は機械式自動変速機として構成され、変速機４には、変速機４のギヤをシフトするギヤシフト用アクチュエータ５が付設されている。
【００２４】
（取付位置調整装置）
図１に示すように、レゾルバのステータ１２は、一端をステータ１２の外周に結合された筒状部１３ａとこの筒状部１３ａの他端に外周方向に突出形成されたフランジ部１３ｂとを有するホルダ１３を介してケーシング１１に固定されている。ステータ１２のホルダ１３のフランジ部１３ｂには、周方向に延びたボルト１５及びナット１６を締結するための締結用長穴１４が複数（ここでは、４個）形成されている。
【００２５】
一方、ケーシング１１には、ボルト１５が貫装されるボルト穴１７が、ステータ１２の長穴と対応するように複数（ここでは、４個）形成されている。
したがって、ステータ１２のホルダ１３はケーシング１１に対して、各長穴１４の長さに応じた量だけ、周方向（回転方向）に位置調整可能になっており、位置調整時にはボルト１５及びナット１６の締結を緩め、位置調整完了後にはボルト１５及びナット１６を締結してステータ１２のホルダ１３をケーシング１１に固定できるようになっている。
【００２６】
なお、ケーシング１１のボルト穴１７の周囲を内側に向けて突出させ、ボルト穴１７の内端をステータ１２に接近させれば、ホルダ１３は不要になる。ここでは、ホルダ１３もステータ１２の一部であるものとする。
図４〜図８はモータ３のより具体的な構成を示す図であるが、この例においては、ケーシング１１のボルト穴１７の周囲が内側に向けて突出してボルト穴１７の内端がステータ１２に接近されており、ホルダ１３は不要なため、ステータ１２自体にフランジ部１２ａが設けられ、このフランジ部１２ａに、締結用長穴１４等が設けられている。
【００２７】
このホルダ１３のケーシング１１に対する回転方向位置を調整するために、ホルダ１３或いはステータ１２のフランジ部１２ａの外周部分に、互いに隣接する第１，第２及び第３の切欠部２１ａ，２１ｂ，２１ｃ（個々に区別しない場合は符号２１で示す）が何れも放射方向に開口し、等間隔に穿設されている。
一方、ケーシング１１には、ホルダ１３或いはステータ１２の切欠部２１ａ，２１ｂ，２１ｃと径方向に対応する位置に、調整用穴２２が設けられている。なお、切欠部２１は、ここでは３個設けられているが、切欠部２１は少なくとも１個設ければよく、２個よりも多くても良い。ただし、切欠部２１を複数個とする場合には、略放射方向を向いた互いに並行な対抗面を有し、それぞれ同一形状に形成されると共に、互いに周方向に等間隔（中心角が等しい状態）に配置されることが必要である。
【００２８】
そして、調整用穴２２と切欠部２１ａ，２１ｂ，２１ｃとを用いてステータ１２の回転方向位置を調整するために、棒状の調整治具３０が備えられている。この調整治具３０は、ハンドル部３１と、ハンドル部３１と直行して備えられて調整用穴２２に挿通される棒状部３２と、棒状部３２の先端に形成され切欠部２１ａ，２１ｂ，２１ｃに係合するピン３３ａ，３３ｂ（個々に区別しない場合は符号３３で示す）とを有している。
【００２９】
また、調整用穴２２及び棒状部３２は何れも断面円形であって、調整用穴２２への棒状部３２の挿通を妨げずに且つ調整治具３０を回転させる際に調整用穴２２が棒状部３２を軸受状に支持するように、調整用穴２２の内周面と棒状部３２の外周面とのクリアランスが設定されている。つまり、調整用穴２２の内径は棒状部３２の外径よりもこのクリアランスに応じた分だけ大きく設定されている。
【００３０】
さらに、棒状部３２の先端のピン３３は、ここでは、１８０度だけ位相をずらせて２個だけ設けられているが、ピン３３は少なくとも１個設ければよいが、複数個としても良い。ただし、ピン３３は、棒状部３２の軸心から偏心した位置に設けられ、棒状部３２の先端から棒状部３２の軸心と平行に突出していることが必要である。またピンを複数個とした場合には、各ピン３３は、棒状部３２の軸心から等間隔に偏心した位置に周方向に等間隔（中心角が等しい状態）で、棒状部３２の先端から棒状部３２の軸心と平行に突出していることが必要である。
【００３１】
各ピン３３の外形は円筒状であって、その直径は切欠部２１の対抗面間距離よりも僅かに小さく設定され、各切欠部２１の開口に円滑に入出することができるようになっている。さらに、各ピン３３の周方向距離は、各切欠部２１の周方向距離と略対応するように設定されている。
なお、当然ながら、ステータ１２側の締結用長穴１４、ケーシング１１側のボルト穴１７、ステータ１２側の各切欠部２１の対抗面、ケーシング１１側の調整用穴２２は、モータの軸心線と平行な方向に向いている。
【００３２】
そして、一端側の切欠部２１から他端側の切欠部２１までの周方向距離は、各締結用長穴１４の周方向長さと対応するように設定されている。この実施形態の場合には、切欠部２１ｂの周方向中心から切欠部２１ｃの周方向中心までの周方向距離が、各締結用長穴１４の周方向長さと略等しいか或いは各締結用長穴１４の周方向長さよりも大きく設定されている。
また、調整用穴２２には、調整完了後は、閉塞部材２４で閉塞され密閉されるようになっている。
【００３３】
（作用、効果）
本発明の一実施形態にかかる取付位置調整装置は上述のように構成されているので、以下のような手順で、レゾルバのステータ（調整対象部材）１２の回転方向位置を調整することができる。
【００３４】
つまり、まず、ボルト１５及びナット１６の締結を緩めた状態で、図４に示すように、調整治具３０の棒状部３２をケーシング１１の調整用穴２２に挿通して、棒状部３２の先端のピン３３の何れかを、切欠部２１の何れかに挿入する。ここでは、３つ並んだ中央の第１の切欠部２１ａに第１のピン３３ａを挿入するものとする。
この状態で、図５に示すように、調整治具３０のハンドル部３１を操作して棒状部３２を回転させると、第１のピン３３ａと第１の切欠部２１ａとの係合を通じてステータ１２が回転するので、これによって、図６，図７（ａ）〜（ｃ）に示すように、ステータ１２の回転方向位置を調整することができる（第１ステップ）。
【００３５】
このとき、図７（ｂ）,（ｃ）に示すように、第１のピン３３ａが第１の切欠部２１ａから外れる（係合が解除する）と、これと同時に、第２のピン３３ｂが第１の切欠部２１ａに隣接する第２の切欠部２１ｂに係合する。その後は、第２のピン３３ｂが第２の切欠部２１ｂに係合した状態で棒状部３２を回転させステータ１２の回転方向位置を調整する（第２ステップ）。
【００３６】
ここで、第２のピン３３ｂが第２の切欠部２１ｂの深部まで達した段階で、ボルト１５の軸がステータ１２側の締結用長穴１４に当接するのでこれ以上は調整治具３０を回転させることはできない。
したがって、第１のピン３３ａが第１の切欠部２１ａに係合する領域から第２のピン３３ｂが第２の切欠部２１ｂに係合する領域までの範囲を、ステータ１２を回転させながら回転方向位置を調整することができる。
【００３７】
また、本実施形態の場合には、第１のピン３３ａが第１の切欠部２１ａに係合する領域でも、第２のピン３３ｂが第２の切欠部２１ｂに係合する領域でも、ステータ１２の回転方向位置を調整することができなければ、棒状部３２を逆回転させて、第１のピン３３ａが第１の切欠部２１ａに係合する領域を経て、第２のピン３３ｂが第３の切欠部２１ｃに係合する領域まで回動させて、この領域でもステータ１２の回転方向位置を調整することができる。
【００３８】
この逆転時には、第２のピン３３ｂが第２の切欠部２１ｂの深部まで達した段階で、それ以上は正方向に回転できないので、棒状部３２を逆回転させると、第２の切欠部２１ｂの深部に位置する第２のピン３３ｂは、第２の切欠部２１ｂに逆回転トルクを確実に与えることができる。
そして、このような各領域を用いて、ステータ１２の回転方向位置を確実に調整することができる。
【００３９】
特に、調整治具３０を回転させることにより、ステータ１２の回転方向位置を調整すると、例えばハンドル部３１を僅かに回転させればステータ１２の位置を微調整することが容易である。
しかも、調整用穴２２及び棒状部３２は何れも断面円形とし、調整用穴２２の内周面と棒状部３２の外周面とのクリアランスを、調整用穴２２への棒状部３２の挿通を妨げずに且つ調整治具３０を回転させる際に調整用穴２２が棒状部３２を軸受状に支持するように設定されているので、調整治具３０を円滑に操作することができる。また、調整用穴２２を小さく設定でき、丸穴なので、その加工も容易になる。
【００４０】
そして、調整完了後は、ボルト１５とナット１６とを締結してステータ１２をケーシング１１に固定すると共に、図８に示すように、調整用穴２２を閉塞部材２４で閉塞し密閉する。レゾルバを内蔵するケーシング１１には、シール性を要求されるが、調整用穴２２を小さく、且つ断面を円形にできるので閉塞部材２４で閉塞してシール性を確保することも容易である。
【００４１】
（その他）
以上本発明の実施形態について説明したが、本発明はかかる実施形態に限定されるものではなく、本発明の趣旨を逸脱しない範囲で種々変形させて実施することができる。
例えば、上記実施形態では、ハイブリッド車両における駆動用電動機として装備されるモータの回転状態を検出するレゾルバのステータを調整対象部材の一例として説明したが、調整対象部材は、これに限定されるものではなく、ケーシング内に備えられ回転方向への取付位置を調整することが必要な種々の部材に適用しうる。
また、上記実施形態では、調整対象部材の外周部分に設ける切欠部を３個、調整治具棒状部の先端のピンを２本とした例を説明したが、これらの数もこの限りではない。
【図面の簡単な説明】
【００４２】
【図１】本発明の一実施形態にかかる取付位置調整装置の概略構成図であり、（ａ）は要部正面図［図１（ｂ）のＤ２−Ｄ２矢視断面図］、（ｂ）は要部側面図［図１（ａ）のＥ２−Ｅ２矢視断面図］である。
【図２】本発明の一実施形態にかかるハイブリッド車両の駆動系の概略構成図である。
【図３】本発明の一実施形態にかかる取付位置調整装置の調整治具の斜視図である。
【図４】本発明の一実施形態にかかるモータ部分の縦断面図（図５のＡ−Ａ矢視断面図）である。
【図５】本発明の一実施形態にかかるモータ部分の端面図（図４のＢ矢視図）である。
【図６】本発明の一実施形態にかかるモータ部分の横断面図（図４のＣ−Ｃ矢視断面図）である。を取付位置調整装置の概略構成図である。
【図７】本発明の一実施形態にかかる取付位置調整の工程を（ａ）〜（ｃ）の順に示す要部拡大図（図６の一点鎖線枠内の拡大図）である。
【図８】本発明の一実施形態にかかるモータ部分の縦断面図（図４に対応する図）であって、調整完了後に調整用穴を閉塞した状態を示す。
【図９】従来の取付位置調整装置の概略構成図であり、（ａ）は要部正面図［図９（ｂ）のＤ１−Ｄ１矢視断面図］、（ｂ）は要部側面図［図１９（ａ）のＥ１−Ｅ１矢視断面図］である。
【図１０】従来の他の取付位置調整装置の概略構成を示す要部正面図である。
【符号の説明】
【００４３】
１  エンジン
１ａ  エンジン１の出力軸
２Ａ，２Ｂ  油圧クラッチ
３  モータ
３ｃ  モータ３の回転軸
４  変速機
６  変速機４の出力軸
７  デファレンシャル
５  ギヤシフト用アクチュエータ
８ａ，８ｂ  駆動輪
１１  ケーシング
１２  レゾルバのステータ
１３  ホルダ
１４  締結用長穴
１５  ボルト
１６  ナット
１７  ボルト穴
２１，２１ａ〜２１ｃ  切欠部
２２  調整用穴
２４  閉塞部材
３０  調整治具
３１  調整治具３０のハンドル部
３２  調整治具３０の棒状部
３３，３３ａ，３３ｂ  調整治具３０のピン
【図１】
2010127838.tif 000003
【図２】
2010127838.tif 000004
【図３】
2010127838.tif 000005
【図４】
2010127838.tif 000006
【図５】
2010127838.tif 000007
【図６】
2010127838.tif 000008
【図７】
2010127838.tif 000009
【図８】
2010127838.tif 000010
【図９】
2010127838.tif 000011
【図１０】
2010127838.tif 000012